(57)【要約】  【課題】  貯蔵物の温度を安価で正確に報知できる冷蔵庫を提供する。  【解決手段】  温度の感知により変色して示温する可逆熱変色性インキ２５ａにより文字２５ｂが形成された示温シート２５と、示温シート２５に接した金属塊から成る畜冷部材２６と、示温シート２５及び畜冷部材２６を挟持して覆うハウジング２１とを有する示温装置２０を貯蔵室３の載置棚１９の前部に設けた。【選択図】      図３
2006162088.tif 000002
【特許請求の範囲】
【請求項１】
温度の感知により変色して示温する示温シートと前記示温シートに接して設けられるとともに貯蔵室内の冷熱を畜冷する畜冷部材とを有する示温装置を備え、貯蔵物を載置する載置棚の前部に前記示温装置を取り付けたことを特徴とする冷蔵庫。
【請求項２】
前記畜冷部材は金属塊から成ることを特徴とする請求項１に記載の冷蔵庫。
【請求項３】
前記載置棚は透明部材から成るとともに裏面に凹部が形成される厚肉部を前端に有し、前記凹部に前記示温装置を埋設したことを特徴とする請求項１または請求項２に記載の冷蔵庫。
【請求項４】
前記載置棚の前面に凹部を設け、前記凹部に前記示温装置を埋設したことを特徴とする請求項１または請求項２に記載の冷蔵庫。
【請求項５】
前記畜冷部材の長さを８０ｍｍ以上にしたことを特徴とする請求項４に記載の冷蔵庫。
【請求項６】
前記貯蔵室の前面を開閉する扉を有し、前記載置棚の前記扉が枢支される側と反対側に前記示温装置を設けたことを特徴とする請求項１〜請求項５のいずれかに記載の冷蔵庫。
【請求項７】
前記示温シートはシート状部材に可逆熱変色性インキを塗布して成ることを特徴とする請求項１〜請求項６のいずれかに記載の冷蔵庫。
【請求項８】
前記可逆熱変色性インキは常温で前記シート状部材と同色に形成され、前記示温シートが所定の温度よりも低くなると変色することを特徴とする請求項７に記載の冷蔵庫。
【発明の詳細な説明】
【技術分野】
【０００１】
本発明は、貯蔵物を冷蔵保存する冷蔵庫に関する。
【背景技術】
【０００２】
従来の冷蔵庫は貯蔵室内の温度を検知する温度センサーが設けられ、温度センサーの検知結果に基づいて冷凍サイクルの運転及び停止が行われている。また、冷蔵庫前面には温度センサーにより検出した貯蔵室内の温度をＬＥＤ等により表示する温度表示装置が設けられている。これにより、ユーザが貯蔵室内の温度を視認して冷蔵庫の動作状態を把握することができるようになっている。
【特許文献１】実開平６−４６４１公報
【発明の開示】
【発明が解決しようとする課題】
【０００３】
しかしながら、上記従来の冷蔵庫によると、ＬＥＤ等の電子部品及び電気配線を必要として温度表示装置が高価になる問題があった。また、温度センサーは貯蔵室の室内の温度を検出するため貯蔵物の温度が正確に報知されない。例えば、図１５は冷蔵庫の電源を投入してからの経過時間に対する貯蔵物の温度と室内の温度を示している。縦軸は温度（単位：℃）、横軸は経過時間（単位：ｈｒ）である。図中、Ａは貯蔵室の室内の温度を示し、Ｂは貯蔵物の温度を示している。外気温は３０℃である。
【０００４】
同図によると、貯蔵室内の冷気は電源投入から約４時間で所定の温度に到達するが、貯蔵物は約６時間で到達する。この間で室内の温度と貯蔵物の温度とが約５〜１５℃異なる。このため、貯蔵物が冷却されたとユーザが誤認して貯蔵物を取り出すと冷却されていない場合が生じ、冷蔵庫の利便性が悪い問題があった。
【０００５】
また、図１６は冷蔵庫の扉を開いてからの経過時間に対する貯蔵物の温度と室内の温度を示している。縦軸は温度（単位：℃）、横軸は経過時間（単位：ｍｉｎ）である。図中、Ａは貯蔵室の室内の温度を示し、Ｂは貯蔵物の温度を示している。また、外気温は３０℃であり、図中、Ｓの時に扉を開いて２分後に閉じている。
【０００６】
同図によると、扉を開いてから数分間は貯蔵物の温度に対して室内の温度が最大で約２０℃高くなる。このため、貯蔵物が冷却されていないとユーザが誤認して貯蔵物の取り出しを中止する場合が生じ、冷蔵庫の利便性が悪い問題があった。
【０００７】
本発明は、貯蔵物の温度を安価でより正確に報知できる冷蔵庫を提供することを目的とする。
【課題を解決するための手段】
【０００８】
上記目的を達成するために本発明は、温度の感知により変色して示温する示温シートと前記示温シートに接して設けられるとともに貯蔵室内の冷熱を畜冷する畜冷部材とを有する示温装置を備え、貯蔵物を載置する載置棚の前部に前記示温装置を取り付けたことを特徴としている。この構成によると、畜冷部材は貯蔵室内の冷熱を畜冷し、畜冷部材に接した示温シートは畜冷部材の温度を感知して変色して温度を報知する。畜冷部材はアルミニウム、ステンレス、鉄等の金属塊により形成することができる。
【０００９】
また本発明は、上記構成の冷蔵庫において、前記載置棚は透明部材から成るとともに裏面に凹部が形成される厚肉部を前端に有し、前記凹部に前記示温装置を埋設したことを特徴としている。この構成によると、載置棚を通して示温シートの表示が視認される。
【００１０】
また本発明は、上記構成の冷蔵庫において、前記載置棚の前面に凹部を設け、前記凹部に前記示温装置を埋設したことを特徴としている。この構成によると、正面から示温シートの表示が視認される。
【００１１】
また本発明は、上記構成の冷蔵庫において、前記畜冷部材の長さを８０ｍｍ以上にしたことを特徴としている。
【００１２】
また本発明は、上記構成の冷蔵庫において、前記前記貯蔵室の前面を開閉する扉を有し、前記載置棚の前記扉が枢支される側と反対側に前記示温装置を設けたことを特徴としている。この構成によると、扉を開く側から近い側に示温装置が配される。
【００１３】
また本発明は、上記構成の冷蔵庫において、前記示温シートはシート状部材に可逆熱変色性インキを塗布して成ることを特徴としている。この構成によると、可逆熱変色性インキが畜冷部材の温度を感知して変色する。可逆熱変色性インキにより文字や記号等から成るメッセージを形成してもよい。
【００１４】
また本発明は、上記構成の冷蔵庫において、前記可逆熱変色性インキは常温で前記シート状部材と同色に形成され、前記示温シートが所定の温度よりも低くなると変色することを特徴としている。この構成によると、貯蔵室内が所定の温度よりも低くなると示温シートの表示が視認可能になる。
【発明の効果】
【００１５】
本発明によると、示温シートと畜冷部材とを有する示温装置を貯蔵室に設けたので、貯蔵物の温度を安価でより正確に報知することができる。また、示温装置を載置棚の前部に設けることにより、示温シートの表示を容易に視認することができる。
【００１６】
また本発明によると、畜冷部材が金属塊から成るので上記示温装置を容易に実現することができる。
【００１７】
また本発明によると、透明な載置棚の前端に設けた厚肉部の裏面の凹部に示温装置を埋設したので、示温装置の表面が貯蔵物と摺動することによる示温装置の破損を防止することができる。
【００１８】
また本発明によると、載置棚の前面に設けた凹部に示温装置を埋設したので、示温シートが貯蔵物で覆われて視認できなくなることを防止することができる。
【００１９】
また本発明によると、畜冷部材の長さを８０ｍｍ以上にしたので、上下方向に短い畜冷部材の熱容量が大きく確保され、貯蔵物の温度を正確に示温することができる。
【００２０】
また本発明によると、扉が枢支される側と反対側に示温装置を設けたので、扉を開いた際に示温シートの表示を容易に視認することができる。
【００２１】
また本発明によると、示温シートがシート状部材に可逆熱変色性インキを塗布して成るので、温度により変色する示温シートを容易に実現することができる。
【００２２】
また本発明によると、可逆熱変色性インキが常温でシート状部材と同色に形成され、示温シートが所定の温度よりも低くなると変色するので、貯蔵物が所定の温度に冷却されているか否かを容易に判別することができる。
【発明を実施するための最良の形態】
【００２３】
以下に本発明の実施形態を図面を参照して説明する。図１は第１実施形態の冷蔵庫を示す斜視図である。冷蔵庫１は図中、左方に設けた取っ手５ａ、６ａを引くことにより回動して前面を開閉する開閉扉５、６を上下に有している。
【００２４】
図２は冷蔵庫１の右側面断面図である。冷蔵庫１は断熱材１４により周囲を覆われ、上方から冷凍室２、冷蔵室３及び野菜室４が設けられる。冷凍室２は上方の開閉扉５により前面が開閉される。冷蔵室３及び野菜室４は下方の開閉扉６により前面が開閉される。冷蔵室３の下方に配置される野菜室４は収納ケース４ａ及び天板４ｂに覆われて冷蔵室３と隔離されている。また、冷蔵室３内には貯蔵物を載置する複数の載置棚１９が設けられている。
【００２５】
冷凍室２の背後及び冷蔵室３の背後には、冷凍室２及び冷蔵室３に臨む吐出口（不図示）を有して互いに連通する冷気通路１０、１１が設けられている。また、冷凍室２の下方には冷気通路１０と連通する戻り通路１２が設けられ、冷蔵室３の上方には冷気通路１０と連通する戻り通路１３が設けられている。
【００２６】
冷気通路１０内には冷却器８及び送風機９が配されている。冷却器８は圧縮機７に接続され、圧縮機７により運転される冷凍サイクルの低温側になる。これにより、冷却器８は冷気通路１０を流通する空気と熱交換して冷気を生成する。
【００２７】
送風機９を駆動すると冷気通路１０内を空気が流通し、冷却器８と熱交換した冷気が冷凍室２内に吐出される。冷凍室２に吐出された冷気は冷凍室２内を流通し、戻り通路１２を流通して冷気通路１０に戻る。また、戻り通路１２から冷気通路１０に戻った冷気の一部が冷気通路１１を流通して冷蔵室３内に吐出される。
【００２８】
冷蔵室３に吐出された冷気は冷蔵室３内を流通し、戻り通路１３から冷気通路１０に戻る。また、冷蔵室３内の冷気の一部は収納ケース４ａの背後から野菜室４に流入し、収納ケース４ａの周囲を流通して前面から冷蔵室３に戻る。これにより、冷却器８により冷却される冷気は冷凍室２、冷蔵室３、野菜室４の順に流通して循環する。冷気は貯蔵物と熱交換を行うため、冷凍室２、冷蔵室３、野菜室４の順に室内温度が低くなり、それぞれ約−１８℃、約３℃、約５℃になっている。室内温度が約０℃のチルド室等を設けてもよい。
【００２９】
図３、図４は載置棚１９を示す斜視図及び側面断面図である。載置棚１９は透明樹脂等の透明部材から成り、使用者が把持して引き出すとともに強度を補強するための厚肉部１９ａが前端に設けられている。厚肉部１９ａには裏面に凹部１９ｂが形成される。凹部１９ｂには、温度を表示する示温装置２０が埋設される。
【００３０】
図５〜図９は示温装置２０を示す正面図、底面図、底面断面図、側面図及び背面図である。また、図１０は示温装置２０の分解図である。示温装置２０は樹脂製の前面カバー２２及び背面カバー２３から成るハウジング２１により覆われている。ハウジング２１内には示温シート２５及び畜冷部材２６が配されている。詳細を後述するように畜冷部材２６の体積が大きい方が熱容量が大きく、正確に貯蔵物の温度を報知できる。このため、ハウジング２１は縦３０ｍｍ以上、横４０ｍｍ以上（例えば、縦４０ｍｍ、横５０ｍｍ）であることが望ましい。
【００３１】
前面カバー２２の周囲には複数の係合爪２２ａが設けられ、背面カバー２３の周囲には係合爪２２ａに対応する位置に係合溝２３ａが形成されている。係合爪２２ａと係合溝２３ａとが係合してハウジング２１が閉じられる。前面カバー２２は前面に開口部２２ｂが設けられ、開口部２２ｂの背面側の周囲には段部２２ｃが形成されている。背面カバー２３には前面側に突出するリブ２３ｂ、２３ｃが形成されている。
【００３２】
示温シート２５は樹脂等のシート状部材（不図示）に可逆熱変色性インキ２５ａ（図１１参照）を塗布して成り、前面カバー２２の段部２２ｃに嵌められている。図１１に示すように、可逆熱変色性インキ２５ａによって「ＯＫ」の文字２５ｂが抜き文字に形成されている。可逆熱変色性インキを文字形状に塗布してもよい。また、可逆熱変色性インキ２５ａにより他の文字（例えば「ＣＯＯＬ」）、記号（例えば「○」や「◎」）、図形、絵文字等を形成してもよい。
【００３３】
可逆熱変色性インキ２５ａは温度を感知して貯蔵物に適した所定の温度（例えば３℃）以下になると例えば、白色から青色に変色する。該所定の温度よりも高温時の可逆熱変色性インキ２５ａと同色のシート状部材を用いることにより、高温時には文字２５ｂが視認されない。また、低温時には図１２に示すように前面カバー２２の開口部２２ｂを介して文字２５ｂが視認できるようになっている。
【００３４】
これにより、貯蔵物に適した温度まで低下した場合にのみ文字２５ｂが視認されるので、貯蔵物が所定温度まで低下したことを使用者が容易に認識することができる。また、「ＯＫ」の文字２５ｂを抜き文字にして文字の周囲に可逆熱変色性インキ２５ａが塗布されるため、示温シート２５の広い面積が変色する。これにより、示温シート２５の視認性がより向上する。
【００３５】
一方で、可逆熱変色性インキを文字形状に塗布すると、可逆熱変色性インキが変色しても示温シート２５の広い面積がシート状部材と同色になる。従って、シート状部材を冷蔵室３の内壁と同色（例えば白色）にすることにより、冷蔵室３内の色調を統一することができる。尚、可逆熱変色性インキ２５ａの保護のため透明なシート（不図示）が示温シート２５の表面にラミネートされている。
【００３６】
畜冷部材２６はアルミニウム、ステンレス、鉄等により形成された熱容量の大きい金属塊から成っている。金属塊は１０ｇ以上の鉄を用いると、冷蔵庫３に侵入する外気による温度変化を安価に抑制することができる。例えば、３．２ｍｍ×２２．５ｍｍ×２６．５ｍｍの鉄から成る金属塊を用いることができる。畜冷部材２６を冷却ジェル等により構成してもよい。
【００３７】
畜冷部材２６によって冷蔵室３内の冷熱が畜冷され、冷蔵室３内の温度が高くなると畜冷部材２６から冷熱が放出されるようになっている。畜冷部材２６は背面カバー２３のリブ２３ｂにより背面側を支持され、リブ２３ｃに嵌合する。示温シート２５及び畜冷部材２６は前面カバー２２と背面カバー２３との係合によってこれらに挟持され、互いに密着する。これにより、示温シート２５は畜冷部材２６の温度を感知して変色する。
【００３８】
前面カバー２２の表面には透明の粘着シート（不図示）が設けられる。これにより、凹部１９ｂ（図４参照）の上面にハウジング２１が接着され、示温装置２０が厚肉部１９ａに埋設される。
【００３９】
圧縮機７及び送風機９の駆動により冷蔵室３内が冷却されると、冷蔵室３内の冷熱が畜冷部材２６に畜冷される。示温シート２５は畜冷部材２６の温度を感知し、所定の温度（例えば３℃）以下になると可逆熱変色性インキ２５ａが変色して文字２５ｂが載置棚１９を通して視認可能に表示される。
【００４０】
断熱扉６を開くと、外気が冷蔵室３内に流入して冷蔵室３内の温度が上昇する。この時、貯蔵物は熱容量に応じて徐々に温度が上昇するとともに、畜冷部材２６が冷熱を放出して徐々に温度が上昇する。このため、示温シート２５は文字２５ｂが視認可能な状態を所定時間維持する。これにより、示温装置２０が貯蔵物の温度状態を正確に報知してユーザの誤認による貯蔵物の取出し中止等の不具合を防止することができる。
【００４１】
また、冷蔵庫１の電源投入時には、圧縮機７の駆動により冷蔵室３内の室内温度が降下する。この時、貯蔵物は熱容量に応じて徐々に温度が降下するとともに、畜冷部材２６は冷蔵室３内の冷熱を畜冷して徐々に温度が降下する。このため、室内温度が所定温度まで降下しても示温シート２５は文字２５ｂが視認できない状態を所定時間維持する。これにより、示温装置２０が貯蔵物の温度状態を正確に報知してユーザの誤認による貯蔵物の取出し等の不具合を防止することができる。従って、ＬＥＤ等の電装部品を必要とせず安価にユーザの利便性の高い冷蔵庫を提供することができる。
【００４２】
また、示温装置２０を載置棚１９の前部に配置したので、断熱扉６を開くと容易に示温シート２５の表示を視認することができ、冷蔵庫１の利便性が向上する。更に、載置棚１９の前端の厚肉部１９ａに示温装置２０を埋設したので畜冷部材２６が充分な体積を有して熱容量を大きくすることができ、貯蔵物の温度を正確に報知することができる。加えて、厚肉部１９ａの裏面に設けた凹部１９ｂに示温装置２０を埋設したので、貯蔵物Ｗとの摺動による示温装置２０の破損を防止することができる。
【００４３】
次に、図１３、図１４は第２実施形態の冷蔵庫の載置棚１９を示す斜視図及び側面断面
である。説明の便宜上、前述の図１〜図１２に示す第１実施形態と同一の部分には同一の符号を付している。本実施形態の冷蔵庫１は示温装置２０の設置場所が第１実施形態と異なっている。その他の部分は第１実施形態と同一である。
【００４４】
載置棚１９の前面の左側には凹部１９ｃが上下方向の略中央に形成されている。凹部１９ｃには横長の示温装置２０が埋設されている。示温装置２０の背面には断熱材を介して粘着シートが設けられ、凹部１９ｃの底面に示温装置２０が接着されている。尚、前面カバー２２の前面には粘着シートは設けられていない。
【００４５】
断熱材によって載置棚１９から畜冷部材２６に伝えられる冷熱を遮断するとともに畜冷部材２６から載置棚１９に伝えられる冷熱を遮断する。これにより、示温装置２０は載置棚１９の影響を受けずに冷蔵室３内に配される貯蔵物と同様に畜冷部材２６が冷熱の畜冷及び放出を行い、示温シート２５（図１０参照）により正確に温度を感知できる。
【００４６】
また、リブ２３ｂ（図１０参照）を高さ２ｍｍ以上（例えば、２．６ｍｍ）にするとより望ましい。これにより、畜冷部材２６と背面カバー２３（図１０参照）との間に空気層を設けて畜冷部材２６から載置棚１９に伝わる熱を充分遮断することができる。
【００４７】
示温シート２５及び畜冷部材２６は横幅Ｌが８０ｍｍ以上に形成されている。これにより、上下方向に狭い載置棚１９の前面に配された畜冷部材２６の質量及び熱容量が大きくなる。従って、載置棚１９の前面に配された示温装置２０により貯蔵物Ｗの正確な温度を報知することができる。
【００４８】
本実施形態によると、示温装置２０を載置棚１９の前面に設けたので、断熱扉６を開くと正面から容易に示温シート２５の表示を視認することができる。また、貯蔵物Ｗにより示温シート２５の表示が覆われることがなく、常に温度を視認することができる。従って、より利便性の高い冷蔵庫１を得ることができる。
【００４９】
また、断熱扉６の取っ手６ａ（図１参照）が左側に設けられ、断熱扉６の枢支側と反対側となる左側に示温装置２０を設けたので、断熱扉６を少し開いただけで示温シート２５の表示を容易に視認することができる。従って、冷気の流出を防止して貯蔵物Ｗの温度を認識することができる。第１実施形態の示温装置２０を同様に断熱扉６の枢支側と反対側に配置してもよい。
【００５０】
第１、第２実施形態において、冷凍室２及び野菜室４にも同様の示温装置２０を設けてもよい。この時、外気温との温度差の大きい冷凍室２の畜冷部材２６の質量を冷蔵室の３の畜冷部材２６よりも大きくするとよい。これにより、外気侵入による畜冷部材２６の温度変化が抑制され、貯蔵物の温度をより正確に報知することができる。同様に、外気温との温度差の小さい野菜室４の畜冷部材２６の質量を冷蔵室の３の畜冷部材２６よりも小さくするとよい。
【産業上の利用可能性】
【００５１】
本発明は貯蔵室内の温度を表示する家庭用の冷蔵庫や業務用の冷蔵庫に利用することができる。
【図面の簡単な説明】
【００５２】
【図１】本発明の第１実施形態の冷蔵庫を示す斜視図
【図２】本発明の第１実施形態の冷蔵庫を示す右側面断面図
【図３】本発明の第１実施形態の冷蔵庫の載置棚を示す斜視図
【図４】本発明の第１実施形態の冷蔵庫の載置棚を示す側面断面図
【図５】本発明の第１実施形態の冷蔵庫の示温装置を示す正面図
【図６】本発明の第１実施形態の冷蔵庫の示温装置を示す底面図
【図７】本発明の第１実施形態の冷蔵庫の示温装置を示す底面断面図
【図８】本発明の第１実施形態の冷蔵庫の示温装置を示す側面図
【図９】本発明の第１実施形態の冷蔵庫の示温装置を示す背面図
【図１０】本発明の第１実施形態の冷蔵庫の示温装置を示す分解図
【図１１】本発明の第１実施形態の冷蔵庫の示温装置の示温シートを示す正面図
【図１２】本発明の第１実施形態の冷蔵庫の示温装置の示温シートの表示状態を示す正面図
【図１３】本発明の第２実施形態の冷蔵庫の載置棚を示す斜視図
【図１４】本発明の第２実施形態の冷蔵庫の載置棚を示す側面断面図
【図１５】冷蔵庫の電源投入時の貯蔵室の室内温度及び貯蔵物の温度を示す図
【図１６】冷蔵庫の扉開閉時の貯蔵室の室内温度及び貯蔵物の温度を示す図
【符号の説明】
【００５３】
１    冷蔵庫
２    冷凍室
３    冷蔵室
４    野菜室
５、６  断熱扉
７    圧縮機
８    冷却器
９    送風機
１９    載置棚
１９ａ  厚肉部
１９ｂ、１９ｃ  凹部
２０    示温装置
２１    ハウジング
２２    前面カバー
２３    背面カバー
２５    示温シート
２５ａ  可逆熱変色性インキ
２５ｂ  文字
２６    畜冷部材
【図１】
2006162088.tif 000003
【図２】
2006162088.tif 000004
【図３】
2006162088.tif 000005
【図４】
2006162088.tif 000006
【図５】
2006162088.tif 000007
【図６】
2006162088.tif 000008
【図７】
2006162088.tif 000009
【図８】
2006162088.tif 000010
【図９】
2006162088.tif 000011
【図１０】
2006162088.tif 000012
【図１１】
2006162088.tif 000013
【図１２】
2006162088.tif 000014
【図１３】
2006162088.tif 000015
【図１４】
2006162088.tif 000016
【図１５】
2006162088.tif 000017
【図１６】
2006162088.tif 000018